(57)【要約】【課題】外面に他の構成部が貼着された状態でも容易に破断作業性を行えるようにする。また、破断後の外観を向上できる包装箱を提供する。【解決手段】破断端部２７は、破断手段（樹脂テープ２１Ｂ）に対して交差するように延びる第１切断線２８と、第１切断線２８の一端から略直交方向に延びる第２切断線２９と、第１切断線２８の他端から第１切断線２８の延び方向に対して傾斜して延びる第３切断線３０と、第３切断線３０の端部から略直交方向に延びる第４切断線３１とを有する。【選択図】図１
2007153391.tif 000002
【特許請求の範囲】
【請求項１】
紙製品を破断する破断手段を備え、該破断手段により破断を行うための破断端部構造であって、
前記破断手段に対して交差するように延びる第１切断線と、該第１切断線の一端から略直交方向に延びる第２切断線と、前記第１切断線の他端から該第１切断線の延び方向に対して傾斜して延びる第３切断線と、該第３切断線の端部から略直交方向に延びる第４切断線とを有することを特徴とする紙製品の破断端部構造。
【請求項２】
底壁と、天壁と、一対の側壁と、一対の端壁とを備え、前記側壁から端壁にかけて延びる破断手段を備えた包装箱において、
少なくとも一方の側壁に、前記破断手段に対して交差するように延びる第１切断線と、該第１切断線の一端から略直交方向に延びる第２切断線と、前記第１切断線の他端から該第１切断線の延び方向に対して傾斜して延びる第３切断線と、該第３切断線の端部から略直交方向に延びる第４切断線とを有する破断端部構造を形成したことを特徴とする包装箱。
【請求項３】
前記端壁を、一対の内フラップと一対の外フラップとで構成し、前記底壁に一方の側壁の外面側に貼着するための糊代部を連設しており、その側壁において、前記糊代部の先端縁近傍に沿って前記破断手段を設けるとともに、その破断手段上に前記破断端部を形成したことを特徴とする請求項２に記載の包装箱。
【発明の詳細な説明】
【技術分野】
【０００１】
本発明は、紙製品の破断端部構造および該破断端部構造を用いた包装箱に関し、特に、トレイ状に一部を破断して陳列販売する形態に好適なものである。
【背景技術】
【０００２】
紙製品として代表的な包装箱としては、矩形状をなす底壁と、この底壁の両側縁に連設した側壁と、これら側壁の上端間に連設した天壁とを備え、該天壁の縁に対応する側壁の内側縁に貼着する糊代部を連設し、前記側壁の両端縁に内フラップを連設するとともに、前記底壁および天壁の両端縁に外フラップを連設したラップアランド形式のものがある。
【０００３】
そのなかでも、内部に収容した商品を販売する際の販売効果の促進を向上するために、側壁から両端の内フラップにかけて、樹脂製のカットテープやライナーカットなどの破断手段を設け、上半分の領域を破断して分離することにより、内部の商品を確認可能としたものがある。
【０００４】
また、前記破断手段による破断を行うための端部には、該破断手段に対して交差するように延びる第１切断線と、該第１切断線の端部から破断手段に対して徐々に近接するように傾斜して延びる第２切断線とからなる破断端部構造を設けたものが一般的である。
【０００５】
しかしながら、前記破断端部構造は、その外面側に他の構成部が貼着される構造の場合、第１切断線と第２切断線とで囲繞された舌片部分を把持するのが非常に困難であり、破断作業性が悪いという問題がある。また、前記ラップアランド形式の包装箱において、破断手段は、段ボールなどの紙の少なくとも一部を引き裂くようにして破断するものであるため、その破断端部は、不均一で見栄えが好ましくない。
【発明の開示】
【発明が解決しようとする課題】
【０００６】
本発明は、従来の問題に鑑みてなされたもので、外面に他の構成部が貼着された状態でも破断作業性を向上できる破断端部構造を提供することを第１の課題とするものである。そして、この破断端部構造を用い、破断後の外観を向上できる包装箱を提供することを第２の課題とするものである。
【課題を解決するための手段】
【０００７】
前記課題を解決するため、本発明の紙製品の破断端部構造は、紙製品を破断する破断手段を備え、該破断手段により破断を行うための破断端部構造であって、前記破断手段に対して交差するように延びる第１切断線と、該第１切断線の一端から略直交方向に延びる第２切断線と、前記第１切断線の他端から該第１切断線の延び方向に対して傾斜して延びる第３切断線と、該第３切断線の端部から略直交方向に延びる第４切断線とを有する構成としている。
【０００８】
この破断端部構造は、第３切断線および第４切断線で囲繞された内部が、外側からの押圧により内向きに湾曲し、第３切断線による切断端縁を露出させる弾性変形部を構成する。そして、第１から第３の切断線により囲繞された内部は、弾性変形部の変形により露出した縁を把持し、破断動作を行うための把持部を構成する。
【０００９】
そのため、前記破断手段を設けた構成部の外面側に、他の構成部を貼着した構造であっても、貼着しない露出側に前記第３切断線を設けておくことにより、舌片状をなす把持部を容易に把持することができる。そのため、破断作業性を向上することができる。
【００１０】
そして、この破断端部構造を用いた包装箱は、底壁と、天壁と、一対の側壁と、一対の端壁とを備え、前記側壁から端壁にかけて延びる破断手段を備えた包装箱において、少なくとも一方の側壁に、前記破断手段に対して交差するように延びる第１切断線と、該第１切断線の一端から略直交方向に延びる第２切断線と、前記第１切断線の他端から該第１切断線の延び方向に対して傾斜して延びる第３切断線と、該第３切断線の端部から略直交方向に延びる第４切断線とを有するものである。
【００１１】
この包装箱では、前記端壁を、一対の内フラップと一対の外フラップとで構成し、前記底壁に一方の側壁の外面側に貼着するための糊代部を連設しており、その側壁において、前記糊代部の先端縁近傍に沿って前記破断手段を設けるとともに、その破断手段上に前記破断端部を形成することが好ましい。このようにすれば、引き裂くようにして破断されていない糊代部の縁を消費者の側に位置させることにより、不均一で見栄えが好ましくない状態が曝されることを抑制できる。その結果、販売効果の促進を目的とした陳列に拘わらず、包装箱の見栄えの悪さによる販売促進効果の低下を防止できる。
【発明の効果】
【００１２】
本発明の破断端部構造では、第１切断線および第３切断線からなる端縁を作業者が容易に把持して破断作業を行うことができる。また、この破断端部構造を用いた包装箱では、側壁の外面側に糊代部を貼着し、その側壁において糊代部の先端縁近傍に沿って破断手段を設けた構成とすることにより、容易に破断作業を行うことができるうえ、糊代部を消費者の側に位置させることにより、不均一で見栄えが好ましくない破断端縁を曝し、販売促進効果が低下することを防止できる。
【発明を実施するための最良の形態】
【００１３】
以下、本発明の実施の形態を図面に従って説明する。
【００１４】
図１から図６は、本発明の実施形態に係る破断端部構造を用いた包装箱を示す。この包装箱は、図１に示すように、四方を囲繞する壁１０〜１３、および、これらの端縁に連設したフラップ１６Ａ（図示されない。），１６Ｂ〜１９Ａ，１９Ｂからなる端壁を備え、所定の容器に収容されたインスタント食品を４行５列の配置で収容したり、缶飲料を４行６列の配置で収容するラップアランド形式のものである。
【００１５】
この包装箱は、一対の表紙および裏紙の間に波状の中しんを配設した段ボール紙を、周知の紙器打抜装置によって図６（Ａ）に示す連続した一枚のブランクとして打ち抜き、所定部位を糊付けにより貼着して成形される。
【００１６】
この包装箱のブランクは、図６（Ａ）に示すように、右側に位置する矩形状をなす底壁１０と、該底壁１０の一端縁に連設した第１側壁１１と、該第１側壁１１の端縁に連設した天壁１２と、該天壁１２の端縁に連設した第２側壁１３と、前記底壁１０の他端縁に連設した糊代部１４とを備え、これらの各境界部分には、肉厚を圧縮するように罫を入れて形成した折曲線１５が設けられている。本実施形態では、糊代部１４は、対向する第２側壁１３の先端縁において外面側に貼着される。
【００１７】
また、前記側壁１１，１３の上下両端縁には、それぞれ一対の内フラップ１６Ａ，１６Ｂ，１７Ａ，１７Ｂが連設されている。さらに、底壁１０および天壁１２の上下両端縁には、それぞれ一対の外フラップ１８Ａ，１８Ｂ，１９Ａ，１９Ｂが連設されている。これらフラップ１６Ａ，１６Ｂ〜１９Ａ，１９Ｂは、組立状態で包装箱の端壁を構成するもので、各壁１０〜１３との境界部分には、前記と同様の折曲線２０が設けられている。
【００１８】
そして、本実施形態では、組立状態において、天壁１２を含む上半分の領域を分離して除去するための破断手段が設けられている。この破断手段は、側壁１１，１３から連設した内フラップ１６Ａ，１６Ｂ，１７Ａ，１７Ｂにかけて延びるＰＰ（ポリプロピレン）製の樹脂テープ２１Ａ，２１Ｂからなる。この樹脂テープ２１Ａ，２１Ｂは、組立状態で横方向に延びるように位置するもので、紙器打抜装置による打ち抜き前の段ボールシートの製造時に同時に貼着され、紙器打抜装置によって同時に切断される。本実施形態では、第１側壁１１から隣接する内フラップ１６Ａ，１６Ｂにかけて延びる樹脂テープ２１Ａは、該第１側壁１１の中央に位置するように設定されている。また、第２側壁１３から隣接する内フラップ１７Ａ，１７Ｂにかけて延びる樹脂テープ２１Ｂは、組立状態で糊代部１４の先端縁の近傍に位置するように設定されている。
【００１９】
また、樹脂テープ２１Ａを配設した第１側壁１１には、略Ｈ字形状をなす周知の破断端部構造からなる第１破断端部２２が設けられ、樹脂テープ２１Ｂを配設した第２側壁１３には、本発明の破断端部構造からなる第２破断端部２７が設けられている。
【００２０】
前記第１破断端部２２は、作業者が樹脂テープ２１Ａを含む第１側壁１１の一部を把持して引っ張ることにより、該第１側壁１１および連続した内フラップ１６Ａ，１６Ｂを樹脂テープ２１Ａによって所定間隔で破断する作業を行うためのもので、第１から第３の切断線２３〜２５により構成される。第１切断線２３は、図６（Ｂ）に示すように、第１側壁１１の中央において、樹脂テープ２１Ａに対して直交方向に交差するように縦方向に直線的に延びるように設けられ、その両端部は樹脂テープ２１Ａを中心として対称に位置するように設定されている。第２切断線２４，２４は、第１切断線２３の両端から所定間隔をもって直交方向に向けて両方向に直線的に延び、樹脂テープ２１Ａと平行に位置するように設けられている。第３切断線２５，２５は、各第２切断線２４，２４の端部から所定間隔をもって、樹脂テープ２１Ａに向けて近接するように傾斜して延びるように設けられている。
【００２１】
前記第１破断端部２２において、各切断線２３〜２５で囲繞され、第１切断線２３を境界として両側に位置する一対の内部は舌片状の弾性把持部２６を構成する。具体的には、図６（Ｂ）中右側に位置する弾性把持部２６を把持する場合には、先に左側に位置する弾性把持部２６を外側から押圧することにより、内向きに湾曲させ、右側に位置する弾性把持部２６の切断端縁を露出させる。その後、その露出した右側の弾性把持部２６を把持し、破断動作を行うものである。
【００２２】
前記第２破断端部２７は、作業者が樹脂テープ２１Ｂを含む第２側壁１３の一部を把持して引っ張ることにより、該第２側壁１３および連続した内フラップ１７Ａ，１７Ｂを樹脂テープ２１Ｂによって所定間隔で破断する作業を行うためのもので、第１から第４の切断線２８〜３１により構成される。第１切断線２８は、図６（Ｃ）に示すように、第２側壁１３の中央下部において、樹脂テープ２１Ｂに対して直交方向に交差するように縦方向に直線的に延びるように設けられている。そして、この第１切断線２８において、組立状態で下側に位置する端部は樹脂テープ２１Ｂを越えて僅かに突出し、組立状態で上側に位置する端部は樹脂テープ２１Ｂを十分に越えて突出するように設定されている。第２切断線２９，２９は、第１切断線２８の下端（一端）から所定間隔をもって直交方向に向けて両方向に直線的に延び、樹脂テープ２１Ｂと平行に位置するように設けられている。第３切断線３０，３０は、第１切断線２８の上端（他端）から所定間隔をもって、該第１切断線２８の延び方向に対して外向きに傾斜し、第１切断線２８とでＹ字形状をなすように両方向に直線的に延びるように設けられている。第４切断線３１，３１は、各第３切断線３０，３０の端部から直交方向に延び、該第３切断線３０とでＴ字形状をなすように直線的に延びるように設けられている。これら第４切断線３１，３１において、上側に位置する端部同士は、連続および交差しないように互いに所定間隔をもって位置する寸法とされている。
【００２３】
前記第２破断端部２７において、各一対の第３切断線３０，３０および第４切断線３１，３１で囲繞される内部は、外側からの押圧により内向きに湾曲し、第３切断線３０による切断端縁を露出させる弾性変形部３２を構成する。また、第１から第３の切断線２８，２９，３０により囲繞される一対の内部は、前記弾性変形部３２の変形により露出する縁を把持し、破断動作を行うための舌片状の把持部３３，３３を構成する。
【００２４】
さらに、前記樹脂テープ２１Ａ，２１Ｂにより破断される内フラップ１６Ａ，１６Ｂ，１７Ａ，１７Ｂの外側には、前記外フラップ１８Ａ，１８Ｂ，１９Ａ，１９Ｂが重畳される。そして、外フラップ１８Ａ，１８Ｂ，１９Ａ，１９Ｂは、樹脂テープ２１Ａ，２１Ｂによる内フラップ１６Ａ，１６Ｂ，１７Ａ，１７Ｂの破断作業の妨げになる。そのため、各外フラップ１８Ａ，１８Ｂ，１９Ａ，１９Ｂには、破断作業の妨げを防止するために、非干渉用の切欠部３４Ａ，３４Ｂが設けられている。具体的には、切欠部３４Ａは、内フラップ１６Ａ，１６Ｂの中央に位置する樹脂テープ２１Ａに対応するもので、外フラップ１８Ａ，１８Ｂ，１９Ａ，１９Ｂの各対応する角部に略半長楕円形状をなすように設けられている。また、切欠部３４Ｂは、内フラップ１７Ａ，１７Ｂにおいて組立状態で下側に偏った箇所に位置する樹脂テープ２１Ｂに対応するもので、外フラップ１８Ａ，１８Ｂの対応する角部に略矩形状をなすように大きく設けられている。なお、内フラップ１７Ａ，１７Ｂに貼着される他の外フラップ１９Ａ，１９Ｂの対応する角部は、樹脂テープ２１Ｂの偏りにより干渉しないため、切欠部は設けられていない。
【００２５】
前記構成の包装箱は、例えば、ブランクの状態で所定の製造メーカに出荷され、自動組立包装装置により封緘される。具体的には、ブランク状態の底壁１０に所定の配列で食品または飲料が載置される。その後、前記底壁１０を基準として各壁１１〜１３を順次折り曲げた後、糊代部１４を折り曲げて第２側壁１３の外面側に熱溶融樹脂からなる接着剤（ホットメルト）で貼着される。ついで、各内フラップ１６Ａ，１６Ｂ，１７Ａ，１７Ｂが折り曲げられた後、各外フラップ１８Ａ，１８Ｂ，１９Ａ，１９Ｂが折り曲げられ、これらの重畳部分がホットメルトで貼着され、図１に示す封緘状態の包装箱が形成される。
【００２６】
例えば、この包装箱に収容された容器を店頭に陳列して販売する場合、作業者は、樹脂テープ２１Ａ，２１Ｂによって側壁１１，１３および連続した内フラップ１６Ａ，１６Ｂ，１７Ａ，１７Ｂを切り裂くようにして破断し、天壁１２を含む上側部分を分離して露出させる。
【００２７】
具体的には、まず、第１破断端部２２において、一方の弾性把持部２６を内向きに押圧して変形させ、他方の弾性把持部２６を把持し、第１側壁１１の半分の領域および連続した内フラップ１６Ａ，１６Ｂの一方を破断する。ついで、この破断により露出した一方の弾性把持部２６を把持し、第１側壁１１の残り半分の領域および連続した内フラップ１６Ａ，１６Ｂの他方を破断する。
【００２８】
その後、図２（Ａ）に示すように、第２破断端部２７において、弾性変形部３２を内向きに押圧して変形させ、図２（Ｂ）に示すように、露出した一対の把持部３３，３３の一方を把持して引っ張り、図３に示すように、第２側壁１３の半分の領域および連続した内フラップ１７Ａ，１７Ｂの一方（図示では１７Ａ）を破断する。ついで、露出した他方の把持部３３を把持し、図４に示すように、第２側壁１３の残り半分の領域および連続した内フラップ１７Ａ，１７Ｂの他方（図示では１７Ｂ）を破断する。
【００２９】
これにより、図５に示すように、包装箱は、その容積の半分以上となる側壁１１，１３の一部、天壁１２、内フラップ１６Ａ，１６Ｂ，１７Ａ，１７Ｂの一部および外フラップ１９Ａ，１９Ｂを取り除いた展示状態になる。なお、前記破断作業は、第１および第２の破断端部２２，２７のいずれから行ってもよいうえ、交互に行ってもよい。
【００３０】
このように、本実施形態では、破断手段である樹脂テープ２１Ｂの近傍かつ表面に、破断しない他の構成部である糊代部１４が貼着された構成にも拘わらず、容易に把持部３３を把持して破断作業を行うことができる。
【００３１】
そして、この包装箱では、破断していない糊代部１４を消費者の側に位置させて陳列することにより、不均一で見栄えが好ましくない破断端縁を曝し、販売促進効果が低下することを防止できる。即ち、販売効果の促進を目的とした陳列に拘わらず、不均一で見栄えが好ましくない破断端縁を消費者に曝すことにより、該包装箱の見栄えの悪さによる販売促進効果の低下を防止できる。逆に、端縁が均一に揃った糊代部１４を消費者の側に位置させることにより、包装箱の外観を向上でき、販売促進効果を向上できる。しかも、第２側壁１３は、樹脂テープ２１Ｂを下側に偏らせているため、非常に広い領域が取り除かれている。そのため、内部の商品の露出面積が広くなり、この点からも販売促進効果を向上できる。
【００３２】
なお、本発明の破断端部構造を用いた包装箱は、前記実施形態の構成に限定されるものではなく、種々の変更が可能である。
【００３３】
例えば、前記実施形態では、側壁１１，１３を横方向に破断する破断手段として樹脂テープ２１Ａ，２１Ｂを適用したが、ライナーカットの１種である一対の片ジッパーを対称に設けた構造をなすジッパーにより構成してもよい。
【００３４】
また、前記実施形態では、包装箱を平面視および側面視四角形状に形成したが、例えば、隣接する底壁１０、側壁１１，１３、天壁１２、フラップ１６Ａ，１６Ｂ〜１９Ａ，１９Ｂからなる端壁の所定の稜部に面取壁を設けた多角形状のものでもよい。勿論、ラップアランド形式の包装箱に限られず、底壁および天壁をフラップにより構成する包装箱であっても同様に適用可能である。
【００３５】
さらに、本発明の破断端部構造は、包装箱に限られず、破断手段による破断作業が伴う紙製品であればいずれでも適用可能である。勿論、外面側に他の構成部が貼着される場合に限られず、稜部に沿って破断手段を設ける場合でも有効である。
【図面の簡単な説明】
【００３６】
【図１】本発明の実施形態に係る破断端部構造を用いた包装箱を示す斜視図である。
【図２】（Ａ），（Ｂ）は破断端部による破断作業工程を示す斜視図である。
【図３】一部を破断した状態を示す斜視図である。
【図４】残部を破断した状態を示す斜視図である。
【図５】トレイ状に上部を取り除いた状態を示す斜視図である。
【図６】（Ａ）は包装箱のブランクを示す背面図、（Ｂ）は第１破断端部を示す部分拡大図、（Ｃ）は本発明の第２破断端部を示す部分拡大図である。
【符号の説明】
【００３７】
１０…底壁
１１…第１側壁
１２…天壁
１３…第２側壁
１４…糊代部
１６Ａ，１６Ｂ…内フラップ
１７Ａ，１７Ｂ…内フラップ
１８Ａ，１８Ｂ…外フラップ
１９Ａ，１９Ｂ…外フラップ
２１Ａ，２１Ｂ…樹脂テープ（破断手段）
２２…第１破断端部
２７…第２破断端部
２８…第１切断線
２９…第２切断線
３０…第３切断線
３１…第４切断線
３２…弾性変形部
３３…把持部
【図１】
2007153391.tif 000003
【図２】
2007153391.tif 000004
【図３】
2007153391.tif 000005
【図４】
2007153391.tif 000006
【図５】
2007153391.tif 000007
【図６】
2007153391.tif 000008